(57)【特許請求の範囲】
【請求項１】
建物内の枠体内に設けられるドアなどの建具の上方において、一対の固定ガイド部材に軸支されている支持部材に欄間パネルを取り付け、前記枠体の左右の縦枠に上下２つのビスを取り付けるとともに、各ビスに係合させ得る上下２つの係合溝を前記固定ガイド部材に設け、前記左右の縦枠に取り付けた下側のビスに前記固定ガイド部材の下側の係合溝を係合させ、下側のビスを中心に左右一対の固定ガイド部材を順次起し、上側のビスに前記固定ガイド部材の上側の係合溝の終端部分を係合させて前記固定ガイド部材を前記左右の縦枠に仮固定し、しかる後、仮止め用に用いた前記ビスをねじ込んで、仮固定された前記一対の固定ガイド部材を前記左右の縦枠に本固定することにより、欄間パネルを欄間に取り付ける方法。
【請求項２】
建物内の枠体内に設けられるドアなどの建具の上方において、前記枠体の左右の縦枠に一対の固定ガイド部材を取り付け、この一対の固定ガイド部材に軸支されている支持部材に取り付けるべき欄間パネルの左右の端面に、上下２つのビスを取り付けるとともに、各ビスに係合させ得る上下２つの係合溝を前記支持部材に設け、前記欄間パネルの左右の端面に取り付けた上下２つのビスに前記上下２つの係合溝を係合させて前記欄間パネルを前記支持部材に仮固定し、しかる後、仮止め用に用いた前記ビスをねじ込んで、仮固定された前記欄間パネルを前記支持部材に本固定することにより、欄間パネルを欄間に取り付ける方法。
【発明の詳細な説明】
【技術分野】
【０００１】
本発明は、建物内の枠体内に開閉可能に設けられるドアなどの建具の上方において、欄間パネルを欄間に取り付ける方法に関するものである。
【背景技術】
【０００２】
建物内の枠体内に開閉可能に設けられるドアの上方において、前記枠体内に欄間パネルを開閉可能に配置した技術が、すでに提案されている（例えば、特許文献１参照）。
【先行技術文献】
【特許文献】
【０００３】
【特許文献１】登録実用新案第３０７０８１８号公報
【発明の概要】
【発明が解決しようとする課題】
【０００４】
この欄間パネルはかなりの幅と重さとを有しており、しかも、前記ドアの上方の高いところに配置しなければならないから、その取付作業が極めて厄介である。通常、取付金具を介して前記枠体に取り付けられるが、従来の場合には、上記の理由から一人では到底施工できず、二人以上での作業になっていた。
【０００５】
この欠点を解消するために鋭意研究を重ねた結果、前記取付作業中において、前記枠体と欄間パネルとそれを前記枠体に取り付けるための取付金具とのいずれかを、他の部材に対して一旦仮止めすることができれば、一人ででも前記取付作業を極めて容易に行うことができることを見出し、本発明を完成させるに至った。
【課題を解決するための手段】
【０００６】
本発明による欄間パネルを欄間に取り付ける方法は、建物内の枠体内に設けられるドアなどの建具の上方において、一対の固定ガイド部材に軸支されている支持部材に欄間パネルを取り付け、前記枠体の左右の縦枠に上下２つのビスを取り付けるとともに、各ビスに係合させ得る上下２つの係合溝を前記固定ガイド部材に設け、前記左右の縦枠に取り付けた下側のビスに前記固定ガイド部材の下側の係合溝を係合させ、下側のビスを中心に左右一対の固定ガイド部材を順次起し、上側のビスに前記固定ガイド部材の上側の係合溝の終端部分を係合させて前記固定ガイド部材を前記左右の縦枠に仮固定し、しかる後、仮止め用に用いた前記ビスをねじ込んで、仮固定された前記一対の固定ガイド部材を前記左右の縦枠に本固定することにより、欄間パネルを欄間に取り付けるものである。
【０００７】
この仮止め用のビスを用いた仮固定により、かなりの幅と重さとを有する欄間パネルを極めて容易に取り付けることができ、特に、一人ででも、高いところでの取付作業を極めて容易に行うことができる。そして、仮固定後において仮止め用に用いた前記ビスをねじ込んで、仮固定された前記一対の固定ガイド部材を前記左右の縦枠に本固定することにより、欄間パネルを欄間に取り付けることができる。
【０００８】
また、本発明による欄間パネルを欄間に取り付ける別の方法は、建物内の枠体内に設けられるドアなどの建具の上方において、前記枠体の左右の縦枠に一対の固定ガイド部材を取り付け、この一対の固定ガイド部材に軸支されている支持部材に取り付けるべき欄間パネルの左右の端面に、上下２つのビスを取り付けるとともに、各ビスに係合させ得る上下２つの係合溝を前記支持部材に設け、前記欄間パネルの左右の端面に取り付けた上下２つのビスに前記上下２つの係合溝を係合させて前記欄間パネルを前記支持部材に仮固定し、しかる後、仮止め用に用いた前記ビスをねじ込んで、仮固定された前記欄間パネルを前記支持部材に本固定することにより、欄間パネルを欄間に取り付けるものである。
【０００９】
この仮止め用のビスを用いた仮固定によっても、かなりの幅と重さとを有する欄間パネルを極めて容易に取り付けることができ、特に、一人ででも、高いところでの取付作業を極めて容易に行うことができる。そして、仮固定後において仮止め用に用いた前記ビスをねじ込んで、仮固定された前記欄間パネルを前記支持部材に本固定することにより、欄間パネルを欄間に取り付けることができる。
【発明の効果】
【００１０】
請求項１記載の欄間パネル取付方法を採用すれば、仮止め用のビスを用いた仮固定により、かなりの幅と重さとを有する欄間パネルを極めて容易に取り付けることができ、特に、一人ででも、高いところでの取付作業を極めて容易に行うことができる。そして、仮固定後において仮止め用に用いた前記ビスをねじ込んで、仮固定された前記一対の固定ガイド部材を前記左右の縦枠に本固定することにより、欄間パネルを欄間に取り付けることができる。
【００１１】
請求項２記載の欄間パネル取付方法を採用しても、仮止め用のビスを用いた仮固定により、かなりの幅と重さとを有する欄間パネルを極めて容易に取り付けることができ、特に、一人ででも、高いところでの取付作業を極めて容易に行うことができる。そして、仮固定後において仮止め用に用いた前記ビスをねじ込んで、仮固定された前記欄間パネルを前記支持部材に本固定することにより、欄間パネルを欄間に取り付けることができる。
【図面の簡単な説明】
【００１２】
【図１】本発明に用いられる欄間パネル用金具の一例を示す一部切欠の側面図である。
【図２】本発明に用いられる欄間パネル構造の一例を示す概略図で、(a)は正面図、(b)は側面図である。
【図３】本発明に用いられる欄間パネル用金具により欄間に取り付けられた欄間パネル構造を示す拡大側面図である。
【図４】本発明による欄間パネルを欄間に取り付ける方法の一例を工程順に示す側面図である。
【図５】本発明に用いられる欄間パネル用金具の仮止め手段と、その変形例を示す概略図で、(a)は仮止め手段としてのビスと仮止め用パーツとしてのビスを、(b)は仮止め手段の取付位置を、(c)は仮止め手段による仮止め状況を、(d)は別の仮止め手段による仮止め状況をそれぞれ示す。
【図６】仮止め手段の変形例を示す図で、(a)は、仮止め手段の１つを欄間パネル側に取り付け、これを縦枠側に取り付けた仮止め手段に係合させる場合を、(b)は、欄間パネル用金具の支持部材に欄間パネルを仮止めする場合の変形例を示す。
【図７】本発明に用いられる欄間パネル用金具の支持アームの仮固定方法を示す側面図で、(a)は凹凸嵌合による場合を、(b)は着脱自在の嵌合部材を用いた場合を、(c)は粘着材料を用いた場合を示す。
【発明を実施するための形態】
【００１３】
本発明に用いられる欄間パネル用金具及びこの金具により欄間に取り付けられた欄間パネル構造、ならびに、この欄間パネルを欄間に取り付ける方法のそれぞれの一例と、その変形例とを、図面に基づいて詳細に説明する。
【００１４】
本発明に用いられる欄間パネル用金具１とは、図２に示すように、建物内の躯体Ａに設置される枠体Ｂ内に、開閉可能に設けられるドアＣの上方において、前記枠体Ｂ内に欄間パネルＤを開閉可能に配置させるために用いるものである。
この欄間パネル用金具１は、基本的には、前記枠体Ｂの少なくとも左右の縦枠ｂ１，ｂ１に取り付け得る左右一対の固定ガイド部材２，２と、この一対の固定ガイド部材２，２の少なくとも一方に長手方向の一端側が枢支された支持アーム３と、この支持アーム３の他端側が枢支されていて前記欄間パネルＤの両端を支持するための左右一対の支持部材４，４とからなっている。
なお、支持アーム３は左右一対の固定ガイド部材２，２及び支持部材４，４に対して１本でもよいが、力のバランスを考えれば左右に２本配置するのが好ましい。
【００１５】
左右一対の支持部材４，４の上隅部分には係合ピン４ａ，４ａが設けられ、各係合ピン４ａ，４ａは左右一対の固定ガイド部材２，２に形成されているガイド溝２ａ，２ａに係合させてある。ガイド溝２ａ，２ａは、図１に示すように、ほぼ垂直な部分とこれに連続して上に行くに従って奥（図１の左側）に食い込む形状をしており、前記係合ピン４ａ，４ａがガイド溝２ａ，２ａの下端にある場合には、前記支持アーム３，３を介して前記支持部材４，４が開いた状態に、前記係合ピン４ａ，４ａがガイド溝２ａ，２ａの上端にある場合には、前記支持アーム３，３を介して前記支持部材４，４が起きて閉じた垂直の状態に位置させることができる。
したがって、建物内の躯体Ａに設置される枠体Ｂ内に開閉可能に設けられるドアＣの上方において、前記支持部材４，４に側面が取り付けられている欄間パネルＤを開閉可能に配置させることができる。
【００１６】
前記欄間パネルＤを取り付けた前記一対の固定ガイド部材２，２を、前記枠体Ｂの少なくとも左右の縦枠ｂ１，ｂ１に仮固定させるための仮止め手段が設けられている。本来、前記一対の固定ガイド部材２，２は前記左右の縦枠ｂ１，ｂ１に固定されるが、この固定ガイド部材２，２に対して支持アーム３，３、支持部材４，４が上述したように連関しているので、前記一対の固定ガイド部材２，２を前記左右の縦枠ｂ１，ｂ１に固定した後、前記支持部材４，４に１枚の欄間パネルＤの両側面を固定しても良いが、欄間パネルＤはかなりの幅と重さとを有する１枚ものであるから、一人では到底施工できず、二人以上での作業になっていた。
【００１７】
ところが、近年、工場等において前記支持部材４，４に１枚の欄間パネルＤの両側面を予め固定しておき、この組み上がったものを施工現場に持ち込んで作業能率を向上させるようになって来た。
そこで、この組み上がったものを施工現場に持ち込んで前記左右の縦枠ｂ１，ｂ１に固定する作業を一人で行うことができるようになれば、工事代その他様々な面で有利である。
そのために、本発明においては、前記枠体Ｂの左右の縦枠ｂ１，ｂ１と欄間パネルＤとそれを前記枠体Ｂの左右の縦枠ｂ１，ｂ１に取り付けるための金具１とのいずれかを、他の部材に対して一旦仮止めすることができるようにしてある。この仮止め手段を設けたことにより、かなりの幅と重さとを有する欄間パネルを極めて容易に取り付けることができ、特に、一人ででも、高いところでの取付作業を比較的容易に行うことができる。
【００１８】
この仮止め手段について、以下詳細に説明する。この仮止め手段は、前記欄間パネルＤを取り付けた前記一対の固定ガイド部材２，２を、前記枠体Ｂの少なくとも左右の縦枠ｂ１，ｂ１に仮固定させる場合に用いるものである。
この場合においては、例えば、前記左右の縦枠ｂ１，ｂ１側に仮止め手段を、そして、前記一対の固定ガイド部材２，２側に仮止め手段を、取り付ける。
【００１９】
前記左右の縦枠ｂ１，ｂ１側に設けられる仮止め手段とは、図５(a)に示す４種類のビス５で、１つ目に示すトラスビス、２つ目に示す低頭ビスなどがあるが、ビス頭（抜け止め用の突起形状）を有する市販のビスはほとんど使用する事ができる。また、市販のビスではなくて様々な形状のものが考えられるが、３つ目に示すような仮止め用パーツとしてのビス、４つ目に示すような引掛り抜け防止機能を有する仮止め用ビスなどを挙げることができる。
これらのビスは、仮止め用として使用することができるだけでなく、本固定用にも兼用できる。このように、仮固定のためにビスを用いた場合には、それらを全て本固定用に兼用できる。
なお、前記左右の縦枠ｂ１，ｂ１には、このようなビス５を取り付けるための下穴を工場であらかじめ開けておくと良い。  
【００２０】
一方、前記左右一対の固定ガイド部材２，２側に設けられる仮止め手段とは、図１、図５(c)、(d)に示すように、前記ビス５に係合させ得る係合溝８を挙げることができる。
係合溝８には、前記左右の縦枠ｂ１，ｂ１に仮固定したビス５，５を係合させることにより、仮固定できる。  
【００２１】
したがって、上下２つのビス５，５と上下２つの係合溝８，８とからなる仮止め手段を用いた場合の作業について説明すると、まず、前記左右の縦枠ｂ１，ｂ１には、上下２つのビス５，５を取り付けるための下穴を工場であらかじめ開けておき、施工者が現場にて建物内の躯体Ａの所定位置に前記左右の縦枠ｂ１，ｂ１を取り付け、これらに開けられている上下２つの下穴に図４(a)に示すようにビス５，５を仮固定し、これらのビス５，５に左右一対の固定ガイド部材２，２の上下２つの係合溝８，８をそれぞれ係合させると良い。そして、施工者が現場にて前記左右一対の固定ガイド部材２，２に枢着されている支持部材４，４に欄間パネルＤの両側面を固定すれば良い。
なお、工場で前記支持部材４，４に１枚の欄間パネルＤの両側面をあらかじめ固定しておいても良く、この場合には現場での上記欄間パネルＤの取付作業を省略できる。
【００２２】
次に、図４(b)に示すように、前記支持アーム３を介して前記一対の固定ガイド部材２，２に対して左右一対の支持部材４，４を倒伏させた状態で、すなわち、前記一対の固定ガイド部材２，２と前記一対の支持部材４，４に取り付けられている欄間パネルＤとが、同図矢印で示す角度を有して開いている状態で、図４(c)に示すように、前記左右の縦枠ｂ１，ｂ１に仮固定された上下２つのビス５，５のうち下側のビス５に、前記固定ガイド部材２，２の下側の係合溝８をそれぞれ係合させる。そして、図４(d)の矢印で示すように、下側のビス５，５を中心に左右一対の固定ガイド部材２，２を順次起して行く。
すると、図４(e)とその一部を拡大して示すように、上側の係合溝８の始端部から順次係合して行き、やがて前記左右の縦枠ｂ１，ｂ１に仮固定された上下２つのビス５，５のうち上側のビス５，５に、前記固定ガイド部材２，２の上側の係合溝８，８の折曲部分付近がそれぞれ係合するに至る。
【００２３】
そして、下側のビス５，５を中心に左右一対の固定ガイド部材２，２を垂直状態になるまで起すと、欄間パネルＤの自重で左右一対の固定ガイド部材２，２が仮固定位置まで下がり、前記上側の係合溝８，８の終端部分が上側のビス５，５に係合する。
かくして、上下２つのビス５，５と上下２つの係合溝８，８とからなる仮止め手段を用いることにより、建物内の躯体Ａに設置される枠体Ｂ内に開閉可能に設けられるドアＣの上方において、前記支持部材４，４に側面が取り付けられている欄間パネルＤを仮固定（仮止め）することができる。
したがって、建物内の躯体Ａに設置される枠体Ｂの左右の縦枠ｂ１，ｂ１に欄間パネルＤを取り付けるに当って、上下２つのビス５，５と上下２つの係合溝８，８とからなる仮止め手段を設けたことにより、かなりの幅と重さとを有する欄間パネルＤをずっと持っている必要がなく、極めて容易に取り付けることができ、特に、一人ででも、高いところでの取付作業を極めて容易に行うことができる。
【００２４】
前記左右の縦枠ｂ１，ｂ１側に設けられる仮止め手段であるビス５については、図５(b)に示すように、左右の縦枠ｂ１，ｂ１に対して上下２つとする。
【００２５】
係合溝については、図５(c)に示すように上下２つとする。また、引っ掛け方については、図５(c)に示すように、差込んだら落とし込むことができるように、係合溝の途中から折曲して終端が窪む形状にしておいても良いし、図５(d)に示すように、下側の係合溝を下側のビスに係合させ、このビスを軸にして起すと、上側の係合溝を上側のビスに係合させ得るようにしても良い。  
【００２６】
上述した場合においては、支持部材４，４に欄間パネルＤの端面を取り付けた一対の固定ガイド部材２，２を、枠体Ｂの少なくとも左右の縦枠ｂ１，ｂ１に仮固定させる場合について説明したが、この場合とは逆に、すなわち、枠体Ｂの少なくとも左右の縦枠ｂ１，ｂ１に左右一対の固定ガイド部材２，２を取り付けておき、取り付けられた左右一対の固定ガイド部材２，２に軸支されている支持部材４，４に、１枚の欄間パネルＤを仮固定（仮止め）させる場合にも本発明を適用することができる。
【００２７】
この場合においては、前記枠体Ｂの少なくとも左右の縦枠ｂ１，ｂ１の所定位置に、ボルト等の締付具（図示しない）を用いて左右一対の固定ガイド部材２，２を取り付ける。左右一対の固定ガイド部材２，２に軸支されている支持部材４，４には、図６(a)の右側に示すように、仮止め手段である上下２つの係合溝８’，８’が形成されている。
次いで、図６(a)の左側に示すように、欄間パネルＤの左右の端面に仮止め手段である上下２つのビス５，５を取り付ける。
そして、同図矢印で示すように、上下２つの前記係合溝８’，８’に、欄間パネルＤの左右の端面に設けた上下２つのビス５，５を差込んで係合溝８’，８’の終端である垂直溝まで下げると、仮固定（仮止め）状態となる。しかる後、欄間パネルＤを開いた状態で、仮止め用に用いた上下２つのビス５，５をねじ込んで、前記支持部材４，４に欄間パネルＤを固定（本固定）する。
【００２８】
一方、図６(a)では、支持部材４，４を垂直状態にして欄間パネルＤを取り付ける場合について説明したが、図６(b)に示すように、左右の縦枠ｂ１，ｂ１の所定位置に取り付けた左右一対の固定ガイド部材２，２に対して、支持部材４，４を支持アーム３，３を介して開いた状態とし、開かれた両支持部材４，４の上下２つの係合溝８’，８’に欄間パネルＤの左右の端面に設けたビス５，５を差込んで仮固定し、さらに、両ビス５，５をねじ込んで固定（本固定）しても良い。
【００２９】
また、支持部材４，４に欄間パネルＤを取り付けるに当って、支持アーム３を支持部材４，４に対して仮固定させ得るようにしておくと良い。このようにすることができれば、欄間パネルＤの取付作業時において、欄間パネルＤを開いた状態に保持できるので、前記取付作業に極めて有利である。
この具体的手段を例示すると、図７(a)に示すように、支持部材４，４に係合孔４ｄを形成する一方、支持アーム３に係合突起３ａを形成し、前記係合孔４ｄに前記係合突起３ａを嵌合させる場合を挙げることができる。また、図７(b)に示すように、着脱可能な嵌合部材１１を用いて支持アーム３を仮固定させても良い。さらに、図７(c)に示すように、支持アーム３と支持部材４とに跨って粘着材料１２を貼着し、両者を仮固定させても良い。
【００３０】
上述した欄間パネル用金具１を用いれば、上述したように、欄間パネルＤを取り付けた左右一対の固定ガイド部材２，２を、枠体Ｂの少なくとも左右の縦枠ｂ１，ｂ１に仮固定させることができる。また、上述した欄間パネル用金具１を用いれば、上述したように、枠体Ｂの少なくとも左右の縦枠ｂ１，ｂ１に取り付けた一対の固定ガイド部材２，２に軸支されている支持部材４，４に、欄間パネルＤを仮固定させることができる。
したがって、かなりの幅と重さとを有する欄間パネルＤをずっと持っている必要がなく、極めて容易に取り付けることができ、特に、一人ででも、高いところでの取付作業を極めて容易に行うことができる。
【００３１】
ここには、本固定後の左右一対の固定ガイド部材２，２を、枠体Ｂの少なくとも左右の縦枠ｂ１，ｂ１に位置固定するための手段をさらに備えている場合を例示する。
この位置固定手段としては、例えば、左右一対の固定ガイド部材２，２に形成した孔２ｄ（図１参照）と、この孔２ｄに挿通するボルト等の締付具１３（図３参照）とからなる場合を挙げることができる。そして、枠体Ｂの少なくとも左右の縦枠ｂ１，ｂ１に固定された左右一対の固定ガイド部材２，２の孔２ｄに、前記締付具１３をねじ込んで最終的な位置の固定を行えば良い。なお、図３においては、上下２本のビス５，５と本固定手段としての締付具１３を便宜上鎖線で示す。
なお、図２(b)及び図３において、符号Ｅは戸当たりである。
【００３２】
一方、上述した欄間パネル用金具１を用いれば、上述したように、建物内の躯体Ａに設置される枠体Ｂ内に開閉可能に設けられるドアＣの上方において、欄間パネルＤを取り付けた左右一対の固定ガイド部材２，２が、前記仮止め手段により前記枠体Ｂの少なくとも左右の縦枠ｂ１，ｂ１に仮固定され、仮固定後の前記左右一対の固定ガイド部材２，２が前記枠体Ｂの少なくとも左右の縦枠ｂ１，ｂ１に本固定された欄間パネル構造とすることができる。
【００３３】
また、上述した欄間パネル用金具１を用いれば、上述したように、建物内の躯体Ａに設置される枠体Ｂ内に開閉可能に設けられるドアＣの上方において、前記枠体Ｂの少なくとも左右の縦枠ｂ１，ｂ１に左右一対の固定ガイド部材２，２を取り付け、この左右一対の固定ガイド部材２，２に軸支されている支持部材４，４に、前記仮止め手段により前記欄間パネルＤが仮固定され、仮固定後の前記欄間パネルＤと前記支持部材４，４とが本固定された欄間パネル構造とすることができる。
【００３４】
このような仮固定により、かなりの幅と重さとを有する欄間パネルＤを極めて容易に取り付けることができ、特に、一人ででも、高いところでの取付作業を極めて容易に行うことができるので、工事代が安価で済むだけでなく、安価な欄間パネル構造を容易に提供できる。
【００３５】
さらに、上述した欄間パネル用金具１を用いれば、上述したように、建物内の躯体Ａに設置される枠体Ｂ内に開閉可能に設けられるドアＣの上方において、欄間パネルＤを取り付けた左右一対の固定ガイド部材２，２を、前記枠体Ｂの少なくとも左右の縦枠ｂ１，ｂ１に仮固定し、しかる後、仮固定された前記左右一対の固定ガイド部材２，２を前記枠体Ｂの少なくとも左右の縦枠ｂ１，ｂ１に本固定することにより、欄間パネルＤを欄間に取り付けることができる。
【００３６】
また、建物内の躯体Ａに設置される枠体Ｂ内に開閉可能に設けられるドアＣの上方において、前記枠体Ｂの少なくとも左右の縦枠ｂ１，ｂ１に左右一対の固定ガイド部材２，２を取り付け、この左右一対の固定ガイド部材２，２に軸支されている支持部材４，４に、欄間パネルＤを仮固定し、しかる後、仮固定された欄間パネルＤと前記支持部材４，４とを本固定することにより、欄間パネルＤを欄間に取り付けることができる。
【００３７】
このような欄間パネル取付方法を採用することにより、かなりの幅と重さとを有する欄間パネルＤを極めて容易に取り付けることができ、特に、一人ででも、高いところでの取付作業を極めて容易に行うことができる。
【００３８】
ここでは、左右一対の固定ガイド部材２，２を左右両側において、前記枠体Ｂの少なくとも左右の縦枠ｂ１，ｂ１にそれぞれ仮固定し、また、欄間パネルＤの左右両側を左右一対の支持部材４，４にそれぞれ仮固定した場合について説明した。
【産業上の利用可能性】
【００３９】
ここでは、左右一対の固定ガイド部材２，２に縦長状のガイド溝２ａ，２ａを形成し、欄間パネルＤを支持する支持部材４，４の係合ピン４ａ，４ａが、前記ガイド溝２ａ，２ａの上端に位置しているとき前記支持部材４，４ならびにこれらに支持されている欄間パネルＤが閉じた状態にあり、前記支持部材４，４ならびにこれらに支持されている欄間パネルＤが順次開いて行くに従って、前記係合ピン４ａ，４ａが縦長状のガイド溝２ａ，２ａ内を滑動してその位置を変え、前記係合ピン４ａ，４ａが縦長状のガイド溝２ａ，２ａの下端に位置したとき、前記支持部材４，４ならびにこれらに支持されている欄間パネルＤが完全に開いた状態になり、しかも、当該支持部材４，４ならびにこれらに支持されている欄間パネルＤは、外側に開く形式のものを例に挙げて本発明を説明したが、例えば、前記係合ピンのような枢軸が定位置にあって当該枢軸を中心として支持部材ならびにこれらに支持されている欄間パネルが単に開閉する形式のもの（支持部材ならびにこれらに支持されている欄間パネルに対し、枢軸が上端に位置する場合、ほぼ中央に位置する場合、下端に位置する場合の全てを含む）にも適用可能であり、さらに、内・外いずれの方向にも開くことができる形式のものにも、本発明を適用することができる。
【符号の説明】
【００４０】
１…欄間パネル用金具、２…固定ガイド部材、２ａ…ガイド溝、２ｄ…孔、３…支持アーム、３ａ…係合突起、４…支持部材、４ａ…係合ピン、４ｄ…係合孔、５…ビス、８，８’…係合溝、１１…嵌合部材、Ａ…躯体、Ｂ…枠体、ｂ１…縦枠、ｂ２…横枠、Ｃ…ドア、Ｄ…欄間パネル。
【図１】
0005616157.tif 000002
【図２】
0005616157.tif 000003
【図３】
0005616157.tif 000004
【図４】
0005616157.tif 000005
【図５】
0005616157.tif 000006
【図６】
0005616157.tif 000007
【図７】
0005616157.tif 000008